(57)【特許請求の範囲】
【請求項１】
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記支持部は、前記蓋部材が前記光学箱を覆った状態において前記蓋部材に向けて突き出るように前記光学箱に設けられた複数の突起であって、前記突起の先端面で前記蓋部材を支持する複数の突起であり、
前記蓋部材は、前記蓋部材が前記光学箱を覆った状態において前記突起が嵌る穴を有し、前記穴の底面において前記突起の前記先端面に載せられていることを特徴とする走査光学装置。
【請求項２】
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記支持部は、前記蓋部材が前記光学箱を覆った状態において前記蓋部材に向けて突き出るように前記光学箱に設けられた複数の突起であって、前記突起の先端面で前記蓋部材を支持する複数の突起であり、
前記蓋部材は、前記蓋部材が前記光学箱を覆った状態において前記複数の突起のうち少なくとも２つの突起がそれぞれ嵌る２つの穴を有し、前記穴の底面において前記突起の前記先端面に載せられていることを特徴とする走査光学装置。
【請求項３】
光源と、回転駆動することで前記光源から照射されるレーザ光を偏向する回転多面鏡と
、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記蓋部材は、前記蓋部材が前記光学箱を覆った状態において前記光学箱に向けて突き出た複数の突起を有し、
前記支持部は、前記突起の先端面に当接することで前記蓋部材を支持し、
前記光学箱は、前記支持部に当接した前記突起が嵌る穴を有し、前記穴の底面において前記突起の前記先端面に当接することを特徴とする走査光学装置。
【請求項４】
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記蓋部材は、前記蓋部材が前記光学箱を覆った状態において前記光学箱に向けて突き出た複数の突起を有し、
前記支持部は、前記突起の先端面に当接することで前記蓋部材を支持し、
前記光学箱は、前記支持部に当接した前記複数の突起のうち少なくとも２つの突起が嵌る少なくとも２つの穴を有し、前記穴の底面において前記突起の前記先端面に当接することを特徴とする走査光学装置。
【請求項５】
前記光学箱は、前記支持部でのみ前記蓋部材と接触することを特徴とする請求項１乃至４のいずれか１項に記載の走査光学装置。
【請求項６】
前記蓋部材は、前記光学箱を覆った状態において、前記光学箱の側壁よりも前記光学箱の外側において前記側壁に沿って前記側壁の縁部よりも下方に延びる第１壁部を有することを特徴とする請求項１乃至５のいずれか１項に記載の走査光学装置。
【請求項７】
前記蓋部材は、前記光学箱を覆った状態において、前記側壁よりも前記光学箱の内側において前記側壁に沿って前記縁部よりも下方に延びて、前記第１壁部と共に前記側壁を挟み込む第２壁部を有することを特徴とする請求項６に記載の走査光学装置。
【請求項８】
前記光学箱は底部と前記底部に立設された側壁を備え、前記固定部は前記光学箱の前記底部の下面に設けられ、前記支持部は前記光学箱の前記側壁の上端面に設けられていることを特徴とする請求項１乃至７のいずれか１項に記載の走査光学装置。
【請求項９】
前記蓋部材は、前記光学箱に設けられる被係止部を係止する係止部を有し、
前記係止部は、前記回転多面鏡の回転軸方向から見て、前記光学箱の底面の四隅に設けられた前記固定部の近傍に設けられることを特徴とする請求項１乃至８のいずれか１項に記載の走査光学装置。
【請求項１０】
前記装置本体に対する前記光学箱の固定はビス締結により行われることを特徴とする請求項１乃至９のいずれか１項に記載の走査光学装置。
【請求項１１】
前記蓋部材が前記光学箱に対してビス締結により固定されることを特徴とする請求項１
乃至１０のいずれか１項に記載の走査光学装置。
【請求項１２】
請求項１乃至１１のいずれか１項に記載の走査光学装置と、
前記走査光学装置から照射されるレーザ光により表面に静電潜像が形成される像担持体と、
を有し、
前記静電潜像を現像することで形成された現像剤像を転写材に転写し、転写材上に画像形成を行うことを特徴とする画像形成装置。 
【発明の詳細な説明】
【技術分野】
【０００１】
本発明は、走査光学装置、走査光学装置を備える画像形成装置に関するものである。
【背景技術】
【０００２】
走査光学装置として、例えば、特許文献１に示すようなものが提案されている。特許文献１に示す走査光学装置においては、まず画像信号に応じて光源ユニットから光変調され出射したレーザビームを偏向手段としての回転多面鏡によって周期的に偏向させている。そして、回転多面鏡に偏向されたレーザビームを、ｆθ特性を有する結像光学素子によって感光ドラム等の被走査体上にスポット状に集束させ、静電潜像の形成を行っている。ここで、回転多面鏡や結像光学素子などの各光学部品は光学箱に収容されており、光学箱の開口は蓋部材によって閉塞されている。また、光学箱には、回転多面鏡を高速回転駆動するための駆動源としてのモータが設けられている。
【０００３】
ここで、モータによって回転多面鏡を高速回転駆動させた時に、モータの回転振動によって光学箱が振動してしまう場合がある。光学箱の振動は蓋部材に伝わり、蓋部材の振動によって走査光学装置の稼動音が大きくなってしまうという問題がある。
【０００４】
そこで、特許文献１では、蓋部材の共振周波数をモータの回転周波数から回避するために、共振回避部材を取り付ける構成を採用している。その結果、蓋部材の共振周波数を変えることができ、蓋部材の共振による稼働音を抑えることが可能となる。また、特許文献２では、回転多面鏡を駆動するモータの軸の下端を光学箱に圧入し、他端を蓋部材とビス固定することによって蓋部材の振動を低減させている。
【先行技術文献】
【特許文献】
【０００５】
【特許文献１】特開２００３−１５０７１号公報
【特許文献２】特開２００１−２５５４８７号公報
【発明の概要】
【発明が解決しようとする課題】
【０００６】
しかしながら、特許文献１の技術においては、蓋部材に共振回避部材を取り付ける必要があり、部品点数が増え、組立工数が増えるという課題がある。また、特許文献２に開示される構成のように、光学箱の開口の縁全周と蓋部材とが当接する場合、長時間の使用により走査光学装置の温度が上昇して光学箱または蓋が変形し、光学箱の開口の縁全周において蓋部材との間に隙間が生じる場合がある。その隙間で蓋部材が局所的に振動すると、蓋部材と光学箱との衝突に伴う音が発生し、稼動音が大きくなるという課題がある。
【０００７】
そこで、本発明は、光学箱を備える走査光学装置において、光学箱を覆う蓋部材の振動による稼動音を低減することを目的とする。
【課題を解決するための手段】
【０００８】
上記目的を達成するため本発明に係る走査光学装置は、
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記支持部は、前記蓋部材が前記光学箱を覆った状態において前記蓋部材に向けて突き出るように前記光学箱に設けられた複数の突起であって、前記突起の先端面で前記蓋部材を支持する複数の突起であり、
前記蓋部材は、前記蓋部材が前記光学箱を覆った状態において前記突起が嵌る穴を有し、前記穴の底面において前記突起の前記先端面に載せられていることを特徴とする走査光学装置。
上記目的を達成するため本発明に係る走査光学装置は、
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記支持部は、前記蓋部材が前記光学箱を覆った状態において前記蓋部材に向けて突き出るように前記光学箱に設けられた複数の突起であって、前記突起の先端面で前記蓋部材を支持する複数の突起であり、
前記蓋部材は、前記蓋部材が前記光学箱を覆った状態において前記複数の突起のうち少なくとも２つの突起がそれぞれ嵌る２つの穴を有し、前記穴の底面において前記突起の前記先端面に載せられていることを特徴とする。
上記目的を達成するため本発明に係る走査光学装置は、
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、
を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記蓋部材は、前記蓋部材が前記光学箱を覆った状態において前記光学箱に向けて突き出た複数の突起を有し、
前記支持部は、前記突起の先端面に当接することで前記蓋部材を支持し、
前記光学箱は、前記支持部に当接した前記突起が嵌る穴を有し、前記穴の底面において前記突起の前記先端面に当接することを特徴とする。
上記目的を達成するため本発明に係る走査光学装置は、
光源と、回転駆動することで前記光源から照射されるレーザ光を偏向する回転多面鏡と、前記回転多面鏡を回転駆動させる駆動部と、を収容し、画像形成装置の装置本体に対して固定される光学箱と、
前記光学箱に設けられた支持部に支持され、前記光学箱を覆う蓋部材と、を有する走査光学装置であって、
前記支持部は、前記回転多面鏡の回転軸方向から見て、前記光学箱が前記装置本体に固定される前記光学箱の底面の四隅に設けられた固定部の近傍に設けられており、
前記蓋部材は、前記蓋部材が前記光学箱を覆った状態において前記光学箱に向けて突き出た複数の突起を有し、
前記支持部は、前記突起の先端面に当接することで前記蓋部材を支持し、
前記光学箱は、前記支持部に当接した前記複数の突起のうち少なくとも２つの突起が嵌る少なくとも２つの穴を有し、前記穴の底面において前記突起の前記先端面に当接することを特徴とする。
【０００９】
また、本発明に係る画像形成装置は、
上記走査光学装置と、
前記走査光学装置から照射されるレーザ光により表面に静電潜像が形成される像担持体と、
を有し、
前記静電潜像を現像することで形成された現像剤像を転写材に転写し、転写材上に画像形成を行うことを特徴とする。
【発明の効果】
【００１０】
本発明によれば、光学箱を備える走査光学装置において、光学箱を覆う蓋部材の振動による稼動音を低減することができる。
【図面の簡単な説明】
【００１１】
【図１】本実施例に係る画像形成装置の構成を示す概略断面図
【図２】実施例１の走査光学装置を上方から見た斜視図
【図３】実施例１の走査光学装置を下方から見た斜視図
【図４】実施例１の走査光学装置を示す上面図
【図５】実施例１の走査光学装置を示す斜視図
【図６】実施例１の走査光学装置を示す斜視図
【図７】実施例１の走査光学装置の断面図
【図８】変形例の走査光学装置を示す斜視図
【図９】実施例２の走査光学装置を示す上面図
【図１０】実施例２の走査光学装置を示す斜視図
【図１１】実施例２の走査光学装置を示す斜視図
【図１２】実施例２の走査光学装置の断面図
【発明を実施するための形態】
【００１２】
以下に図面を参照して、この発明を実施するための形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものである。すなわち、この発明の範囲を以下の実施の形態に限定する趣旨のものではない。
【００１３】
まず、図１を参照して、本発明の実施例（以下、本実施例）に係る画像形成装置の概略について説明する。図１は、本実施例に係る画像形成装置の構成を示す概略断面図である。図１に示すように、本実施例に係る画像形成装置の装置本体１は、紙等の転写材Ｐを積載する給紙部４、給紙ローラ５、転写ローラ６、定着器７等を有している。また、転写ローラ６に対向する位置に、画像形成プロセスを行うためのプロセス手段を有するプロセスカートリッジ８が、画像形成装置の装置本体１に着脱可能に設けられている。さらに、画像形成装置の装置本体１内には、プロセスカートリッジ８の上部に走査光学装置２が設けられている。走査光学装置２は、画像形成装置１の枠体の一部である光学台３に固定して設置されている。なお、本実施例において、装置本体１とは、画像形成装置のうちプロセスカートリッジ８を除いた部分をいう。
【００１４】
プロセスカートリッジ８は、プロセス手段として、像担持体としての感光ドラム９、帯電器８ａ、現像ローラ８ｂを有している。感光ドラム９の表面は、帯電器８ａによって所
定の電位に均一に帯電される。そして、帯電された感光ドラム９の表面に対して、走査光学装置２がレーザ光Ｌを走査することで、感光ドラム９の表面上に静電潜像が形成される。その後、現像ローラ８ｂによって感光ドラム９の表面上に形成された静電潜像にトナーが供給され、現像剤像としてのトナー像が形成される。
【００１５】
一方、転写材Ｐは、給紙ローラ５によって給紙部４から転写ローラ６へと給送され、転写ローラ６によって感光ドラム９上に形成されたトナー像が転写される。その後、定着器７において、転写材Ｐ上（転写材上）のトナー像は、熱と圧力によって転写材Ｐ上に定着される。トナー像が定着された転写材Ｐは、排紙ローラ１０によって装置本体１の外部へと排出される。
【００１６】
（実施例１）
次に、図２〜図７を参照して、本発明の実施例１の走査光学装置の詳細について説明する。図２は、実施例１の走査光学装置を上方（回転多面鏡２２の回転軸方向）から見た斜視図であって、蓋で開口を塞いでいない状態を示す図である。ここで、上方とは光学箱の開口側であり、下方とは光学箱の底部側である。
【００１７】
図２に示すように、走査光学装置２は、光源ユニット１１、シリンドリカルレンズ１５、光偏向器１８、ｆθレンズ１９、折り返しミラー２０、回転多面鏡２２等を有しており、それら各光学部品を光学箱１３に収容して構成される。光源ユニット１１から出射されたレーザビームＬ１は、シリンドリカルレンズ１５によって副走査方向のみに集光される。さらに、レーザビームＬ１は、黒色樹脂から成る光学箱１３に形成される光学絞り１４によって所定のビーム径に制限され、回転多面鏡２２の反射面１７に主走査方向に長い線状に集光される。
【００１８】
回転多面鏡２２は、駆動部としてのモータを備える光偏向器１８によって回転駆動され、反射面１７に照射されたレーザビームＬ１を偏向する。偏向されたレーザビームＬ２は、ｆθレンズ１９を通過し、長尺の折り返しミラー２０で反射され、感光ドラム９上に集光、走査される。その結果、帯電器８ａによって表面が帯電されていた感光ドラム９上に静電潜像が形成される。
【００１９】
ここで、図２に示すように、光学箱１３は、底部（底面）と、底部の周りを囲むよう底面から立設された側壁を備える。光学箱１３の底部に対向する側は開口している。この開口は、樹脂や板金からなる蓋部材１２によって覆われて閉塞される。各光学部品は、光学箱１３の底部側に備えられており、蓋部材１２によって開口が閉塞されることで、光学箱１３の内部に外部から塵埃等が侵入するのが抑制される。また、後述するが、実施例１において、支持部としての突起１３３は側壁側に設けられている。
【００２０】
さらに、図３を参照して、走査光学装置２を画像形成装置１の光学台３に固定する方法について説明する。図３は、実施例１の走査光学装置を下方から見た斜視図である。
【００２１】
図３に示すように、光学箱１３の底部の裏面には、孔４２ａ、４２ｂ、４２ｃ、４２ｄの周囲に形成される取付基準面１３１ａ、１３１ｂ、１３１ｃ、１３１ｄが設けられている。それらに対向する位置において、光学台３には、ビス孔３１ａ、３１ｂ、３１ｃ、３１ｄが設けられている。また、光学箱１３の底部の裏面には、ピン１３２ａ、１３２ｂが設けられている。それらに対向する位置において、光学台３には、丸穴３２ａ、長丸穴３２ｂが設けられている。
【００２２】
光学箱１３のピン１３２ａ、１３２ｂを、光学台３の丸穴３２ａ、長丸穴３２ｂに対してそれぞれ嵌合することによって、光学台３に対する光学箱１３の位置決めがされる。位
置決めがされた状態で、ビス４１ａ、４１ｂ、４１ｃ、４１ｄを孔４２ａ、４２ｂ、４２ｃ、４２ｄを介して、ビス孔３１ａ、３１ｂ、３１ｃ、３１ｄに締結する。このようにビス締結によって、光学箱１３は光学台３に対して固定される。光学箱１３と装置本体１が備える光学台３とが固定される箇所を以下、固定部とする。
【００２３】
さらに、図４〜図７を参照して、光学箱への蓋部材の組み付けについて説明する。図４は、実施例１の走査光学装置を示す上面図である。図５は、実施例１の走査光学装置を示す斜視図であって、蓋部材を組み付ける前の状態を示す図である。図６は、実施例１の走査光学装置を示す斜視図であって、蓋部材を組み付けた状態を示す図である。図７は、実施例１の走査光学装置の断面図であって、蓋部材を組み付けた状態を示す図である。なお、説明の便宜上、図４において蓋部材は不図示とした。
【００２４】
図４、図５に示すように、光学箱１３は、蓋部材１２に対向する位置に円柱状の支持部としての突起１３３ａ、１３３ｂ、１３３ｃ、１３３ｄ（複数の突起）を有し、側壁において外側に突出する被係止部１３４ａ、１３４ｂ、１３４ｃ、１３４ｄを有している。一方、蓋部材１２は、図５に示すように、光学箱１３に対向する位置に基準丸穴１２２ｂ、基準長丸穴１２２ｄを有し、被係止部１３４ａ、１３４ｂ、１３４ｃ、１３４ｄにそれぞれ係止可能な係止部１２３ａ、１２３ｂ、１２３ｃ、１２３ｄを有している。
【００２５】
突起１３３ｂ、１３３ｄは、蓋部材１２が光学箱１３を覆った状態において、基準丸穴１２２ｂ、基準長丸穴１２２ｄにそれぞれ嵌合する位置にある。光学箱１３の突起１３３ｂ、１３３ｄが、蓋部材１２の基準丸穴１２２ｂ、基準長丸穴１２２ｄに嵌合することで、蓋部材１２の平面１２５（図５中のクロスハッチング部）に平行な方向における位置が決まる。また、突起１３３ａ、１３３ｂ、１３３ｃ、１３３ｄに平面１２５を当接させることによって、突起１３３ａ、１３３ｂ、１３３ｃ、１３３ｄが光学箱１３を支持し、蓋部材１２の平面１２５に垂直な方向における位置が決まる。
【００２６】
実施例１において、蓋部材１２と光学箱１３とは、突起１３３ａ、１３３ｂ、１３３ｃ、１３３ｄ以外の部分で当接しない構成となっている。すなわち、蓋部材１２は突起１３３ａ、１３３ｂ、１３３ｃ、１３３ｄのみによって光学箱１３に支持されている。
【００２７】
また、図６に示すように、蓋部材１２が光学箱１３を覆った状態において、蓋部材１２の係止部１２３ａ、１２３ｂ、１２３ｃ、１２３ｄが、光学箱１３の被係止部１３４ａ、１３４ｂ、１３４ｃ、１３４ｄにそれぞれ係止する。係止部１２３と被係止部１３４とは、蓋部材１２が光学箱１３を覆った状態で通常は当接していない。係止部１２３と被係止部１３４は、走査光学装置２に衝撃が加わった場合、蓋部材１２が光学箱１３から外れることを防止するために設けられるものである。
【００２８】
また、実施例１においては、図７の断面図に示すように、蓋部材１２と光学箱１３との間には突起１３３の高さ分の隙間である隙間ｅ１が形成される。隙間ｅ１は、０．５ｍｍ程度である。また、蓋部材１２には二重壁１２１（第１壁部１２１ｂ、第２壁部１２１ａ）が形成されている。第１壁部１２１ｂは、光学箱１３の側壁１３５に沿って側壁１３５よりも光学箱１３の外側において、側壁１３５の縁部１３５ａよりも下方に延びて形成される。第２壁部１２１ａは、光学箱１３の側壁１３５に沿って側壁１３５よりも光学箱１３の内側において、第１壁部１２１ｂと共に側壁１３５を挟み込むように側壁１３５の縁部１３５ａよりも下方に延びて形成される。
【００２９】
蓋部材１２の上面からの距離である二重壁１２１の高さＨ１は、蓋部材１２と光学箱１３の隙間ｅ１よりも十分に大きく、５．０ｍｍ程度である。なお、光学箱１３の外周の側壁１３５と、蓋部材１２の二重壁１２１とは互いに接触しておらず、外周の側壁１３５の
縁部１３５ａと蓋部材１２との間にも同様に隙間ｅ１が形成される構成とした。このように、側壁１３５と蓋部材１２との間には隙間が形成されており、光学箱１３の内部と外部が完全に塞がれる構成とはなっていない。しかし、図７に示すように、実施例１においては、蓋部材１２が二重壁構造となっているため、光学箱１３内へ外部から塵埃が入りにくい構成となっている。
【００３０】
次に、実施例１の特徴について説明する。上述したように、実施例１においては、光学箱１３と蓋部材１２は、突起１３３ａ、１３３ｂ、１３３ｃ、１３３ｄでのみ当接しており、光学箱１３の振動は、突起１３３ａ、１３３ｂ、１３３ｃ、１３３ｄを介してのみ、蓋部材１２へと伝わる。
【００３１】
光学箱１３は、取付基準面１３１ａ、１３１ｂ、１３１ｃ、１３１ｄで装置本体１が備える光学台３にビス締結され、固定されている。この取付基準面１３１ａ、１３１ｂ、１３１ｃ、１３１ｄ近傍（すなわち、固定部近傍）においては、光偏向器１８の備える駆動部としてのモータの回転駆動に伴う光学箱１３の振動は小さい。
【００３２】
実施例１においては、比較的振動の小さい取付基準面１３１ａ、１３１ｂ、１３１ｃ、１３１ｄ近傍に、蓋部材１２と接触する突起１３３ａ、１３３ｂ、１３３ｃ、１３３ｄを設けた。このような構成を採用することで、光学箱１３から突起１３３ａ、１３３ｂ、１３３ｃ、１３３ｄを介して蓋部材１２へと伝わる振動を抑えることができ、蓋部材１２の振動による稼動音を低減することができる。
特に、取付基準面１３１ａ〜ｄが光学箱１３の底部側、突起１３３ａ〜ｄと蓋部材１２との接触点は光学箱の開口側に設けられている場合は、回転多面鏡２２の回転軸方向から見て、取付基準面１３１ａ〜ｄの近傍に突起１３３ａ〜ｄが設けられていればよい。
【００３３】
更に、長時間の使用により走査光学装置２の温度が上昇して光学箱１３や蓋部材１２が変形しても、光学箱１３と蓋部材１２との間には隙間ｅ１が空いており、突起１３３ａ、１３３ｂ、１３３ｃ、１３３ｄ以外での蓋部材１２と光学箱１３との衝突が抑えられる。その結果、光学箱１３の振動に伴う蓋部材１２と光学箱１３との衝突の増加に応じて大きくなる稼動音の悪化を低減することができる。
【００３４】
また、高さＨ１は隙間ｅ１に対して十分大きいため、二重壁１２１によって、光学箱１３の外にある塵埃が光学箱１３と蓋部材１２との隙間ｅ１を通り光学箱１３の内部へ侵入するのを抑えることが出来る。すなわち、蓋部材１２と光学箱１３の当接箇所が限定されても、防塵性能を維持することが可能となる。
【００３５】
また、蓋部材１２が反って被係止部１３４が光学箱１３の係止部１２３に当接しても、実施例１においては被係止部１３４をビス４１による固定部近傍に設ける構成としたため、蓋部材１２が大きく振動することはない。
【００３６】
また、実施例１では、蓋部材１２と光学箱１３の当接部と、走査光学装置２と光学台３との固定部とがそれぞれ４つの例で説明したがこれに限られるものではない。すなわち、蓋部材１２と光学箱１３の当接部が、走査光学装置２と光学台３との固定部近傍に設けられる構成であれば数は何個であっても良い。
【００３７】
また、実施例１では突起を光学箱１３に設けたが、図８のように、蓋部材１２に突起１２４ａ、１２４ｂ、１２４ｃ、１２４ｄを設けても実施例１と同様の効果を得られる。この場合、蓋部材１２が光学箱１３を覆った状態において、光学箱１３のうち突起１２４ａ、１２４ｂ、１２４ｃ、１２４ｄと当接する部分が本発明の支持部に対応する構成となる。
【００３８】
（実施例２）
次に、図９〜図１２を参照して、実施例２について説明する。実施例２においては、蓋部材６２が光学箱６３に対してビス締結されている点で実施例１と異なる。画像形成装置の全体構成等については実施例１と同様であるため、その説明は省略する。
【００３９】
図９は、実施例２の走査光学装置を示す上面図である。なお、図９においては、説明の便宜上、蓋部材は省略した。図１０は、実施例２の走査光学装置を示す斜視図であって、蓋部材を開いた状態を示す図である。図１１は、実施例２の走査光学装置を示す斜視図であって、蓋部材を閉じた状態を示す図である。図１２は、実施例２の走査光学装置を示す断面図である。
【００４０】
図９に示すように、光学箱６３は、円柱状の支持部としての突起６３３ａ、６３３ｂと、支持部としての蓋座面６３５ａ、６３５ｂを有する。また、光学箱６３は、実施例１と同様に被係止部６３４ａ、６３４ｂ、６３４ｃ、６３４ｄを有している。一方、図１０に示すように、蓋部材６２は、基準丸穴６２２ｂ、基準長丸穴６２２ｄを有している。この基準丸穴６２２ｂ、基準長丸穴６２２ｄに突起６３３ａ、突起６３３ｄがそれぞれ嵌合することで、蓋部材６２の光学箱６３に対する位置決めがされる。また、図１０に示すように、蓋部材６２は、実施例１と同様に、係止部６２３ａ、６２３ｂ、６２３ｃ、６２３ｄを有している。
【００４１】
蓋部材６２が光学箱６３を覆った状態において、蓋部材６２の係止部６２３ａ、６２３ｂ、６２３ｃ、６２３ｄが、光学箱６３の被係止部６３４ａ、６３４ｂ、６３４ｃ、６３４ｄにそれぞれ係止する。蓋部材６２が光学箱６３を覆った状態において、係止部６２３と被係止部６３４とは通常は当接していない。係止部６２３と被係止部６３４は、走査光学装置５２に衝撃が加わった場合、蓋部材６２が光学箱６３から外れることを防止するために設けられるものである。
【００４２】
実施例２において、図１１に示すように、蓋部材６２は、蓋ビス６４ａ、６４ｂによって、光学箱６３の蓋座面６３５ａ、６３５ｂに固定される。突起６３３ａ、６３３ｂと蓋座面６３５ａ、６３５ｂは、蓋部材６２に向けて突起しており、光学箱６３は、突起６３３ａ、６３３ｂと蓋座面６３５ａ、６３５ｂのみで蓋部材６２と当接している。
【００４３】
また、実施例２においては、図１２の断面図に示すように、蓋部材６２と光学箱６３との間には突起６３３、蓋座面６３５の高さ分の隙間である隙間ｅ２が形成される。隙間ｅ２は、０．５ｍｍ程度である。また、蓋部材６２には光学箱６３の外周の側壁６３６を挟むように二重壁（第１壁部６２１ｂ、第２壁部６２１ａ）が下方に伸びて形成されている。蓋部材６２の上面からの距離である二重壁６２１の高さＨ２は、蓋部材６２と光学箱６３の隙間ｅ２よりも大きく、５．０ｍｍ程度である。なお、光学箱６３の外周の側壁６３６と、蓋部材６２の二重壁６２１とは互いに接触しておらず、外周の側壁６３６の縁部６３６ａと蓋部材６２との間にも同様に隙間ｅ２が形成される構成とした。このように、側壁６３６と蓋部材６２との間には隙間が形成されており、光学箱６３の内部と外部が完全に塞がれる構成とはなっていない。しかし、図１２に示すように、二重壁構造となっているため、光学箱６３内へ外部から塵埃が入りにくい構成となっている。
【００４４】
実施例２においては、蓋ビス６４ａ、６４ｂで蓋部材６２を光学箱６３に対して固定している。蓋部材６２の振動モードは蓋部材６２のサイズや重量など蓋部材６２の構成によって変わるため、場合によっては蓋ビス６４ａ、６４ｂで蓋部材６２を固定した方が稼働音を更に抑えることが可能となる。したがって、実施例２において蓋部材６２の振動をより抑えることが出来る可能性が高い。その結果、実施例２によって更に稼働音を改善した
走査光学装置、およびそれを用いた画像形成装置を提供することが可能となる。
【符号の説明】
【００４５】
１…装置本体、１１…光源ユニット（光源）、１２…蓋部材、１３…光学箱、２２…回転多面鏡
【図１】
0006552171.tif 000002
【図２】
0006552171.tif 000003
【図３】
0006552171.tif 000004
【図４】
0006552171.tif 000005
【図５】
0006552171.tif 000006
【図６】
0006552171.tif 000007
【図７】
0006552171.tif 000008
【図８】
0006552171.tif 000009
【図９】
0006552171.tif 000010
【図１０】
0006552171.tif 000011
【図１１】
0006552171.tif 000012
【図１２】
0006552171.tif 000013